(57)【要約】      （修正有）【課題】草木の発芽時に蟻の媒介によるアブラムシの転移、或はナメクジ等の食害を１〜２ヶ月に渡って継続的に防ぐ事は難しく、持続性の良い殺虫農薬の多用は環境を汚染している。また防除材塗布テープ、シートは草木の必要な個所に巻き付けても断面側を害虫に向けるため忌避効果は落ち、更に蟻用を始め多種な忌避薬の使用には未対応のため汎用性に乏しい。蟻或はナメクジ等に対して有効な忌避効力を持続させ、且つ着脱の容易な土壌汚染の無い、人体と環境に優しい防虫園芸用品の開発。【解決手段】草木、植木鉢の外側に巻き付けられる金属線に蟻或はナメクジ等の忌避薬を有する粘着性の吸湿材を被覆させ、且つ剥離可能なシール材を貼着し、任意の寸法で切断可能な、蟻やナメクジ等を忌避させる防虫園芸用品。【選択図】図６
0003115643.tif 000002
【実用新案登録請求の範囲】
【請求項１】
草木、植木鉢の外側に巻き付けられる金属線に蟻或はナメクジ等の忌避薬を有する粘着性の有る吸湿材を被覆させたことを特徴とした防虫園芸用品。
【請求項２】
忌避剤を含む吸湿材の表面に、連続した凹凸を施したことを特徴とした請求項１記載の防虫園芸用品。
【請求項３】
吸湿材の外周に剥離可能なシール材を貼着したことを特徴とした請求項１〜２記載の防虫園芸用品。
【請求項４】
吸湿材を被覆した金属線断面真円をしかも複数個並べて一体にしたことを特徴とした請求項１〜３記載の防虫園芸用品。
【請求項５】
忌避薬を含む吸湿材は所望の害虫別に個別の色、或は記号を施したことを特徴とした請求項１〜４記載の防虫園芸用品。
【考案の詳細な説明】
【技術分野】
【０００１】
本考案は蟻或はナメクジ等害虫に対して、薬品の有効な忌避効力を持続させる防虫園芸用品に属する。
【背景技術】
【０００２】
ナメクジおよびマイマイを忌避させるテープ或はシートに防除材を塗布した物が有る（例えば、特許文献１参照。）。
【０００３】
または蟻或はナメクジ等に対して粒状殺虫剤を地面に撒く、或は農薬を直接害虫に散布して駆除している。
【特許文献１】特開平６−８６６２５号  公報
【考案の開示】
【考案が解決しようとする課題】
【０００４】
草木の発芽時に蟻の媒介によるアブラムシの転移、或はナメクジ等の食害を１〜２ヶ月に渡って継続的に防ぐ事は難しく、持続性の良い殺虫農薬の多用は環境を汚染している。
【０００５】
また防除材塗布テープ、シートは草木の必要な個所に巻き付けても断面側を害虫に向けるため忌避効果は落ち、更に蟻用を始め多種な忌避薬の使用には未対応のため汎用性に乏しい。
【０００６】
本考案は上記現状に対し草木の発芽、開花期間を通じて簡単に害虫の進路遮断を図る事を目的とし、土壌汚染を無くして人体と環境に優しい防虫園芸用品を考案する事である。
【課題を解決するための手段】
【０００７】
本考案は上記目標を実現するものであり、草木、植木鉢等の外径に巻き付けられる金属線に蟻或はナメクジ等の忌避薬を有する粘着性の有る吸湿材を被覆させ、且つ剥離可能なシール膜を貼着し、任意の寸法で切断可能な防虫園芸用品。
【考案の効果】
【０００８】
請求項１により草木、植木鉢等の外側に太さに関わらず巻き付けられる本品は、粘着性と金属線の屈曲性を利用して設置する場所を選ばず、蟻或はナメクジ等の進路を妨害し、虫害の拡散を減らすことが出来る。
【０００９】
請求項２により吸湿材表面に連続した凹凸を施したため平面に対し、表面積が広くなり忌避薬の発散効率が上がり、且つ凹部分でくびれ、屈曲性も良くすることが出来る。
【００１０】
請求項３により吸湿材表面にシール膜を貼着したため、忌避薬の発散が防止出来ると同時に被覆体同士の不要なくっ付きが防止できる。シール膜は作業しながら徐々に剥離を行えば手を汚さない。
【００１１】
請求項４により被覆体を複数個並べて一体にした結果、一周で施せる領域巾が広がるため、何周も巻く必要が無い。しかも重ねて巻く事が容易なため忌避効果が向上する。
【００１２】
請求項５により目的害虫別に忌避薬を使い分けた吸湿材に個別の色、或は記号を施したため、誤使用を避けることが出来る。
【考案を実施するための最良の形態】
【００１３】
図１は本考案のうち請求項１記載の内容ついて説明した断面斜視図である。草木、植木鉢の外側に巻き付けられる金属線２に、蟻或はナメクジ等の忌避薬４を有する粘着性の有る吸湿材３を被覆させた。無論金属線２は断面角型、真円でも良く、粘着性と金属線の屈曲性を利用して設置場所を選ばず、要所を突いた配置が可能ゆへ、蟻或はナメクジ等の進路を効果的に妨害し、虫害の拡散を減らすことが出来る。
【００１４】
図２は忌避薬４を有する粘着性の有る吸湿材３の表面に、連続した凹凸を施した粘着性の有る吸湿材３ａを説明する断面斜視図であって、この凹凸を施したため平面に対し表面積が広くなりその分忌避薬４の発散効率が上がり、また凹部分がくびれ、屈曲性も向上する。
【００１５】
図３は図１の忌避薬４を有する粘着性の有る吸湿材３に剥離可能なシール膜５を貼着した断面を表す。もちろん吸湿材３は断面長円形、真円でも良く、シール膜を貼着したため、ケースＣ中では忌避薬の発散が防止出来ると同時に被覆体同士の不要なくっ付きが防止できる。シール膜は作業しながら徐々に剥を行えば手を汚さない。
【００１６】
本考案で使用する忌避薬４は、衣類用家庭防虫剤ナフタリン系、パラジクロルベンゼン系等の合成防虫剤を粒剤で、或は木酢液、コバイバオイル、ヒノキ油等の樹木精油は液体で吸湿材３に保有させ、殺虫ではなく忌避させる目的で使用するため安全で良い。
【００１７】
図４は被覆体１を複数個並べて一体にした場合の断面を表し、設置する時一周で施せる領域巾が広がり、何周も巻く必要が無いため整然と仕上がる。しかも重ねて巻く事が容易なため、その厚みを増すと忌避効果が向上する。  
【００１８】
図５は被覆体１を若木Ｗに巻き付けて蟻対策を施したイラストである。設置位置、設置数、巻数、止め方や忌避薬の選択或いは組合せも自由であり、地面から離れた所に設置するため土壌汚染が無く、また雨天時の泥はね被害が無いため効力が持続する。
【００１９】
図６は被覆体１を植木鉢Ｐに巻き付けてナメクジ対策を施したイラストである。被覆体１はケースＣより引張り出して使用し、また日数を経て防虫効果が低下した場合は使用忌避薬４と同じスペアー忌避液Ｓを注すと効力は持続する。
【図面の簡単な説明】
【００２０】
【図１】本考案被覆体断面斜視図。
【図２】本考案被覆体の連続した凹凸を説明する断面斜視図。
【図３】シール膜を貼着した被覆体を説明する断面図。
【図４】本考案被覆体を複数個並べて一体にした場合を説明する断面図。
【図５】本考案被覆体を樹木に巻き付けた使用例図。
【図６】本考案被覆体を植木鉢に巻き付けた場面を説明する使用例図。
【符号の説明】
【００２１】
１  被覆体
１ａ  凹凸付被覆体
１ｂ  複数列被覆体
２  金属線  
３  吸湿材
３ａ  凹凸付吸湿材  
４  忌避薬  
５  シール膜
Ｗ  若木  
Ｆ  花
Ｐ  植木鉢  
Ｃ  ケース  
Ｓ  スペアー忌避液
【図１】
0003115643.tif 000003
【図２】
0003115643.tif 000004
【図３】
0003115643.tif 000005
【図４】
0003115643.tif 000006
【図５】
0003115643.tif 000007
【図６】
0003115643.tif 000008